(57)【特許請求の範囲】
【請求項１】
フィルタハウジングに取り付け可能なフィルタエレメンントであって、
前記フィルタエレメント（１０）は、
ろ過される流体の流入面（２８）と流出面（３０）とを有するフィルタろ過材（１８）からなる開放フィルタベローズ（１６）と、
前記フィルタベローズのエンドエッジ側面において、前記フィルタベローズに接続されているエンドディスクと、
前記エンドディスクの流入側の対応する辺に取り付けられており、前記エンドディスクの平面に延設され、前記フィルタエレメント（１０）をつかむための少なくとも２つのハンドグリップエレメント（４６；１４６）と、
を備えることを特徴とするフィルタエレメント。
【請求項２】
前記２つのハンドグリップエレメント（４６）のうち、少なくとも１つのハンドグリップエレメントが、少なくとも１つの穴または少なくとも１つの指通し穴（５２）、もしくは少なくとも１つのグリップ開口部または少なくとも１つのくぼみグリップを有することを特徴とする請求項１に記載のフィルタエレメント。
【請求項３】
少なくとも２つのハンドグリップエレメント（４６；１４６）は、前記フィルタエレメント（１０）の対向する２つの面（２６）に設けられていることを特徴とする請求項１または２に記載のフィルタエレメント。
【請求項４】
少なくとも２つのハンドグリップエレメントが、フィルタベローズの２つの異なる長手方向の面の隣に、または長手方向の同じ側面の隣に設けられることを特徴とする請求項１乃至３の何れか一項に記載のフィルタエレメント。
【請求項５】
前記ハンドグリップエレメント（４６）のうち、少なくとも１つのハンドグリップエレメントは、前記フィルタエレメント（１０）の１つの面（２６）に、エレメント軸（１４）に対する周方向においてほぼ中央に位置するように設けられたことを特徴とする請求項１乃至４の何れか一項に記載のフィルタエレメント。
【請求項６】
前記フィルタろ過材（１８）はプリーツ状に折りたたまれていることを特徴とする請求項１乃至５の何れか一項に記載のフィルタエレメント。
【請求項７】
前記エンドディスク（３２）が前記フィルタベローズ（１６）の少なくとも１つの周方向側面（２６）に位置し、前記流入面（２８）と前記流出面（３０）との間に延設されていることを特徴とする請求項１乃至６の何れか一項に記載のフィルタエレメント。
【請求項８】
前記ハンドグリップエレメント（４６；１４６）のうち、少なくとも１つのハンドグリップは前記エンドディスク（３２）に一体となるように接続されることを特徴とする請求項７に記載のフィルタエレメント。
【請求項９】
前記ハンドグリップエレメント（４６；１４６）のうち、少なくとも１つのハンドグリップエレメントの少なくとも１つの長手方向部分（４８；１５０）が、前記フィルタエレメント（１０）が前記フィルタハウジング内に取り付けられ得る取り付け方向（１２）に平行である少なくとも１つの方向成分を有するように延設されることを特徴とする請求項１乃至８の何れか一項に記載のフィルタエレメント。
【請求項１０】
前記ハンドグリップエレメント（４６；１４６）のうち、少なくとも１つのハンドグリップエレメントの少なくとも１つの横手方向部分（５０；１４８）が、前記フィルタエレメント（１０）が前記フィルタハウジング内に取り付けられ得る取り付け方向（１２）に対して横方向の、とくに半径方向の少なくとも１つの方向成分を有するように延設されることを特徴とする請求項１乃至９の何れか一項に記載のフィルタエレメント。
【請求項１１】
前記ハンドグリップエレメント（４６；１４６）のうち、少なくとも１つのハンドグリップエレメントは、前記フィルタエレメント（１０）に、前記流入面（２８）または前記流出面もしくはその両方の横方向に取り付けられていることを特徴とする請求項１乃至１０の何れか一項に記載のフィルタエレメント。
【請求項１２】
前記フィルタエレメント（１０）は、
前記フィルタベローズ（１６）から横方向に離れる方向に突出する少なくとも１つの保持構造（３８）を有するとともに、直接的または間接的に前記フィルタベローズ（１６）に接続され、前記流入面（２８）と前記流出面（３０）との間で前記フィルタベローズ（１６）の外周の少なくとも一部に沿って延設されるフィルタエレメント保持具（３４）とを備えることを特徴とする請求項１乃至１１の何れか一項に記載のフィルタエレメント。
【請求項１３】
前記ハンドグリップエレメント（１４６）のうち少なくとも１つのハンドグリップエレメントは、前記フィルタエレメント（１０）を前記フィルタハウジング内に取り付ける取り付け方向（１２）から見たとき、前記少なくとも１つの保持構造（３８）と同じ高さを有することを特徴とする請求項１２に記載のフィルタエレメント。
【請求項１４】
流体の少なくとも１つの流入口と少なくとも１つの流出口を有するフィルタハウジングを有するとともに、請求項１乃至１３の何れか一項に記載されたフィルタエレメントである少なくとも１つのフィルタエレメントを有し、該フィルタベローズは、ろ過される流体の流入面（２８）と流出面（３０）とを有し、
少なくとも１つのフィルタエレメント（１０）は、少なくとも１つの流入口を少なくとも１つの流出口から隔てるように前記フィルタハウジング内に設けられ、
前記フィルタエレメント（１０）は、前記フィルタエレメント（１０）をつかむための少なくとも２つのハンドグリップエレメント（４６；１４６）を備えることを特徴とする流体用フィルタ。
【請求項１５】
自動車に搭載される内燃機関に用いられる請求項１４に記載の流体用フィルタ。
【発明の詳細な説明】
【技術分野】
【０００１】
本発明は、フィルタエレメントに関し、とくに、流体用フィルタのフィルタハウジング内に取り付けるための平坦なフィルタエレメントに関する。流体用フィルタは、とくに自動車の、とくに内燃機関のエアフィルタである。フィルタエレメントは、フィルタろ過材からなり、ろ過される流体の流入面と流出面とを有する開放フィルタベローズを備えている。
【０００２】
さらに、本発明は、とくに自動車の、とくに内燃機関における、とくにエアフィルタである流体用フィルタであって、流体の少なくとも１つの流入口と少なくとも１つの流出口を有するフィルタハウジングを有し、とくに本発明のフィルタエレメントである少なくとも１つのフィルタエレメント、とくにフィルタろ過材からなり、ろ過される流体の流入面と流出面とを有する開放フィルタベローズを有する平坦なフィルタエレメントを有し、前記フィルタエレメントは、該流入口を該流出口から隔てるように、フィルタハウジング内に設けられる流体用フィルタに関する。
【背景技術】
【０００３】
国際公開第２０１２／１７５４３８Ａ１号明細書には、自動車の内燃機関の外気をろ過するためのプレートフィルタエレメントを有するフィルタ装置が記載されている。このフィルタエレメントは、真っすぐで平坦なプレート状のフィルタ本体を有し、このフィルタ本体は、円周方向かつ横方向に、そして流れが通過可能なフィルタ本体の断面を取り囲むように設けられた縁部を有している。フィルタエレメントはフィルタハウジングの内部に設けられている。フィルタ装置は、好ましくは、とくに自動車のエアフィルタ装置である。
【先行技術文献】
【特許文献】
【０００４】
【特許文献１】国際公開２０１２／１７５４３８Ａ１
【発明の概要】
【発明が解決しようとする課題】
【０００５】
本発明は、フィルタエレメントのフィルタハウジング内への取り付けまたはフィルタエレメントのフィルタハウジングからの取り出し、もしくはその両方を向上させ得る、上述の導入部で定めた方式のフィルタエレメントとフィルタを設計するという目的に基づく。とくに、取り付けまたは取り出しもしくはその両方をより容易に、より確実に行うことが可能になる。
【課題を解決するための手段】
【０００６】
本発明によれば、上述の目的は、フィルタエレメントをつかむための少なくとも２つのハンドグリップエレメントを有するフィルタエレメントによって達せられる。
【０００７】
少なくとも２つのハンドグリップエレメントで、フィルタエレメントを簡単につかむことができる。したがって、ハンドグリップエレメントは、人の片手または両手で、または一または複数の適当なグリップ具を用いた機械によって、もしくはその両方によってつかむように設計されてもよい。本発明における「保持する（ｈｏｌｄ）」「つかむ（ｇｒｉｐ）」との用語は、とくに、手または道具を差し伸べて、対応するハンドグリップエレメントの一部を包囲すること及び一方から触れること、または手または道具を差し伸べてハンドグリップエレメントに挿入することを意味する。
【０００８】
有利には、少なくとも２つのハンドグリップエレメントは、その形状、寸法、位置、そしてフィルタベローズに対する配置または接続の方式が、同一または同様であってもよい。あるいは、少なくとも２つのハンドグリップエレメントは、その形状、寸法、位置、または配置や接続の方式、もしくはこれらの組み合わせが異なっていてもよい。これにより、フィルタエレメントの対称性または非対称性が影響を受けてもよい。
【０００９】
有利には、２つのハンドグリップエレメントのうち、少なくとも１つのハンドグリップエレメントは、１つの部分、とくに、つかむことができる交差部分を有していてもよい。このつかみ部は一本以上の指または対応するグリップ具もしくはその両方によって保持されてもよく、これにより安定して保持され得る。
【００１０】
１つの有利な実施形態では、２つのハンドグリップのうち、少なくとも１つのハンドグリップエレメントは、少なくとも１つの穴または少なくとも１つの指通し穴または少なくとも１つのグリップ開口部または少なくとも１つのくぼみグリップを有していてもよい。手の指または対応するグリップ具もしくはその両方は、これらの穴、指通し穴、グリップ開口部、またはくぼみグリップと係合してもよい。この代わりに、またはこれに加えて、２つのハンドグリップエレメントのうち、少なくとも１つのハンドグリップエレメントは、穴、指通し穴、グリップ開口部、またはくぼみグリップを１つも有していなくてもよい。
【００１１】
少なくとも１つのハンドグリップエレメント、とくにくぼみグリップは、有利には、フィルタエレメントの外周側に設けられていてもよく、とくにいずれかの端部材の外側に設けられていてもよい。有利には、少なくとも１つのハンドグリップエレメントは、流入面と流出面の間に設けられていてもよい。有利には、少なくとも１つのハンドグリップエレメントは、周縁シールが設けられている場合は、該周縁シールと、流れが通る面、とくにフィルタベローズの流入面との間に設けられていてもよい。
【００１２】
このつかむことのできる部分、すなわち上述の穴や指通し穴は、有利には、流れ方向において、エレメントの軸に対して、流入面の上流または流出面の下流に設けられていてもよい。
【００１３】
少なくとも２つのハンドグリップエレメントを用いることで、フィルタエレメントを複数の位置で同時につかむことができる効果が得られる。よって、フィルタエレメントを、均等にフィルタハウジングに挿入し、均等にフィルタハウジングから取り出すことができる。これにより、取り付けまたは取り出しの際、フィルタエレメントのプリーツエッジへの悪影響を低減することができる。よって、比較的重いまたは大きな、もしくはその両方であるフィルタエレメントであっても、容易かつ正確にフィルタハウジング内に位置決めすることができる。
【００１４】
２つのハンドグリップエレメントのうち、少なくとも１つのハンドグリップエレメントは、有利には、フィルタハウジング内にフィルタエレメントを取り付ける方向に対して、フィルタエレメントの後方に設けられてもよい。有利には、フィルタエレメントの後方は、フィルタハウジングのハウジング底部の反対側に対向していてもよい。フィルタエレメントの後方側は、フィルタエレメントがそこを通って取り付けられる、フィルタハウジングの取り付け口に対向していてもよい。このようにすれば、フィルタハウジングが開いた後に、取り付け口を通して、少なくとも１つのハンドグリップを容易に外からつかむことができる。
【００１５】
有利には、フィルタエレメントは、空気のろ過に適したものであってもよい。また、フィルタエレメントは、その他の種類の流体、とくに気体や液体をろ過するために設けられていてもよい。よって、対応するフィルタエレメントは、とくに燃料、油、水または尿素溶液をろ過するために用いられてもよい。
【００１６】
有利には、フィルタエレメントは自動車の内燃機関に用いられてもよい。
【００１７】
有利には、フィルタエレメントは商用車、とくトラック、バス、工事現場用車両、農作業用機械のエアフィルタに設けられていてもよい。このようなフィルタエレメントは乗用車用のフィルタエレメントと比較して各寸法が大きい場合があるからである。しかし、このフィルタエレメントは乗用車に用いることもできる。
【００１８】
本発明は、自動車のエンジニアリング以外で、具体的には商用車において用いてもよい。また、本発明を内燃機関以外で、とくに自動車のエンジニアリングで用いることも可能である。
【００１９】
有利には、フィルタエレメントは平坦なフィルタエレメントであってもよい。フィルタエレメントは平坦であってもよく、曲がっていてもよい。フィルタベローズの流入面または流出面もしくはその両方は、平坦で合ってもよく、曲がっていてもよい。また、フィルタエレメントは箱の形をしていてもよい。
【００２０】
フィルタベローズは、例えば、略多面体形状であってもよい。有利には、フィルタベローズは、立方体、直方体、錐体、角柱、くさび等の形状であってもよい。フィルタベローズの全ての面が平坦である必要は無く、フィルタベローズのいくつかの面は曲面であってもよい。対向する２つの面は平行に延びていてもよい。これに代えて、またはこれに加えて、対向する２つの面は斜めに延びていてもよく、そうでなければ互いに平行ではないように延びていてもよい。
【００２１】
有利には、フィルタエレメントのエレメント軸は、フィルタハウジング内にフィルタエレメントを取り付ける取り付け方向と平行または同軸であってもよい。取り出し方向は、通常は、この取り付け方向と反対向きである。有利には、エレメント軸は、フィルタエレメントの流入面及び流出面と交差していてもよい。流入面または流出面もしくはその両方が平面である場合、有利には、エレメント軸または取り付け方向もしくはその両方は、それらに垂直であってもよい。
【００２２】
フィルタろ過材は、紙フィルタ、不織フィルタ、メルトブロー、不織布、またはその他の種類の、とくに空気である流体のろ過に適したフィルタろ過材であってもよい。有利には、フィルタろ過材はプリーツ状に折りたたむことが可能であってもよい。
【００２３】
あるいは、フィルタベローズは、流体透過性のフィルタ発泡体を備えていてもよく、とくに空気透過性のフィルタ発泡体を備えていてもよい。フィルタベローズは、そのようなフィルタ発泡体の中実の塊として実現されてもよい。
【００２４】
他の有利な実施形態では、少なくとも２つのハンドグリップエレメントは、フィルタエレメントの対向する２つの面に設けられていてもよい。
【００２５】
このようにすれば、フィルタエレメントを、その対向する２つの面において均等につかむことができる。よって、取り出しまたは取り出しの際にフィルタエレメントが傾く可能性が低減される。
【００２６】
有利には、少なくとも２つのハンドグリップエレメントは、フィルタエレメントの、エレメント軸を挟んで対向する２つの面に設けられていてもよい。
【００２７】
有利には、ハンドグリップエレメントは、２つ一組で複数組設けられてもよい。
【００２８】
他の有利な実施形態では、少なくとも２つのハンドグリップエレメントは、フィルタベローズの異なる長手方向の辺に、または同一の長手方向の一辺の隣に設けられてもよい。このように、フィルタエレメントの対称性または非対称性が、ハンドグリップエレメントに影響されてもよい。
【００２９】
有利には、少なくとも２つのハンドグリップエレメントは、フィルタエレメントのフィルタ軸に対して、対角線上に対向する２つの面に設けられていてもよい。有利には、少なくとも２つのハンドグリップエレメントは、フィルタエレメントの対角線上に対向する２つの面の辺の領域に設けられていてもよい。有利には、少なくとも２つのハンドグリップエレメントは、フィルタエレメントの対角線上に対向する２つの面の辺の領域に設けられていてもよい。有利には、少なくとも２つのハンドグリップエレメントは、流入面または下流側面の対角線上に対向する角の領域に設けられていてもよい。
【００３０】
また、少なくとも２つのハンドグリップエレメントは、フィルタエレメントの同一の長手方向の面に設けられるほか、対向する横手方向の２つの面、とくにその前方の端に設けられていてもよい。
【００３１】
他の有利な実施形態では、少なくとも１つのハンドグリップエレメントは、エレメント軸に対して、フィルタエレメントの１つの面の、周方向略中央に設けられていてもよい。有利には、少なくとも１つのハンドグリップエレメントは、フィルタエレメントの対向する２つの面間、とくに長手方向の２面間の略中央に設けられていてもよい。
【００３２】
他の有利な実施形態では、フィルタろ過材はプリーツ状に折りたたまれていてもよい。フィルタろ過材をプリーツ状とすることで、フィルタベローズの設計容量に対するアクティブなフィルタ領域の割合を向上させることができる。
【００３３】
フィルタろ過材は、ジグザグの構成になるようプリーツ状に折りたたまれて、フィルタベローズを形成してもよい。このフィルタエレメントの場合、とくに開放フィルタベローズを有する平坦なフィルタエレメントの場合、フィルタろ過材は閉ではない。すなわち、末端のプリーツ（ひだ）は、末端の縁と同様、互いに接合されていない。これに対して、空洞フィルタエレメントの場合、とくに円形フィルタエレメントの場合、フィルタろ過材は閉じたフィルタベローズを形成するように成形されており、すなわち、エンドプリーツが互いに接合されている。エンドプリーツとは、両端、具体的にはフィルタベローズの長手方向の両端の最も外側の２つのプリーツである。エンドボーダーとは、フィルタろ過材の自由な二辺であり、エンドプリーツに沿って延びるとともに、フィルタベローズの両端において、エンドプリーツを画定する。フィルタベローズのエンドエッジとは、フィルタベローズのその他の自由な２辺であり、エンドボーダー同士の間をフィルタベローズのプリーツ形状に沿うように延びている。プリーツエッジとは、フィルタろ過材がプリーツ状に折られている折り山の部分である。ジグザグにプリーツ状とされた立方体形状のフィルタベローズの場合、エンドボーダー及びプリーツエッジの各々は直線であり、互いに平行である。エンドエッジはジグザグ状に延び、プリーツエッジのエンドボーダーと垂直である。エンドエッジはそれぞれ、フィルタベローズの幅に渡って設けられる。プリーツ状のフィルタろ過材の場合、フィルタベローズの流入面には流入側プリーツエッジがその幅に渡って設けられる。流出面には、流出側プリーツエッジがその幅に渡って設けられる。エンドエッジ側の面には、エンドエッジがその幅に渡って設けられている。
【００３４】
有利には、フィルタベローズは深いプリーツを有していてもよい。例えば、この場合、立方体形状のフィルタベローズでは、プリーツの高さは少なくともプリーツエッジ方向の範囲と同じくらい大きいか、またはプリーツエッジが連なる方向の範囲と同じくらい大きく、もしくはその両方である。
【００３５】
フィルタベローズにおいて、プリーツの高さまたはプリーツの形状もしくはその両方は異なっていてもよい。プリーツの高さまたはプリーツの形状もしくはその両方は、少なくとも１つのプリーツ内で異なっていてもよい。これに代えて、またはこれに加えて、プリーツの高さまたはプリーツの形状もしくはその両方は、プリーツ間で、とくに隣りあうプリーツ間で異なっていてもよい。このようにして、流入面または流出面もしくはその両方が曲面となった形状が実施されてもよい。フィルタベローズの中央におけるプリーツ高さを、とくにその長手方向の面の領域におけるプリーツ高さより低くしてもよい。これにより、フィルタベローズの該当する面、とくに流入面または流出面は、略楕円または略円筒状のジャケット部を有してもよい。これに代えて、フィルタベローズは、そのフィルター高さを適切に変えることで傾斜した形状となっていてもよい。
【００３６】
他の有利な実施形態においては、少なくも１つの端部材、とくにエンドディスクが、フィルタベローズの少なくとも１つの周方向側面に設けられていてもよく、該端部材は、流入面と流出面との間に延設されていてもよい。フィルタベローズとフィルタエレメント全体とを、少なくとも１つの端部材によって固定することができる。また、フィルタベローズは、対応する側面に少なくとも１つの端部材を設けることによって密にシールされていてもよい。さらに、少なくとも１つの端部材は、フィルタエレメントをフィルタハウジング内の安定した位置で位置決めかつ保持可能な接続エレメントまたは維持エレメントとして機能してもよい。
【００３７】
有利には、対応する端部材がフィルタベローズの複数の周方向側面に設けられていてもよい。これにより、フィルタエレメントの安定性をさらに向上することができる。
【００３８】
有利には、フィルタベローズの対向する周方向側面のそれぞれに、端部材が１つずつ設けられていてもいい。有利には、端部材は、取り付け軸またはエレメント軸もしくはその両方を挟んで対向する、フィルタベローズの２つの面に位置していてもよい。
【００３９】
プリーツ状のフィルタろ過材の場合、少なくとも１つの端部材が、フィルタベローズの１つのエンドエッジ側に設けられていてもよい。少なくとも１つの端部材が、該エンドエッジ側に密に接続されていてもよい。このようにして、少なくとも１つの端部材が、エンドエッジ側を密にシールしていてもよい。
【００４０】
有利には、フィルタベローズの２つのエンドエッジ側の各々が、１つの端部材によってシールされていてもよい。
【００４１】
有利には、少なくとも１つの端部材は、エンドディスクであってもよい。エンドディスクは、その広がりにおいて平坦である。このようにすれば、フィルタエレメントを取り付けるために必要とされるスペースを全体として抑制することができる。
【００４２】
少なくとも１つの端部材、とくにエンドディスクは、端部材の安定性を高めるためのリブ構造を有していてもよい。
【００４３】
少なくとも１つの端部材の輪郭は、フィルタベローズの、該少なくとも１つの端部材が設けられる面の対応する輪郭と一致していてもよい。端部材の形状は、広がりの変化、具体的には、フィルタベローズの高さの変化、より具体的にはプリーツ高さの変化に適応してもよい。
【００４４】
有利には、少なくとも１つの端部材はプラスチック製としてもよい。プラスチックは弾性を有することができる。プラスチック製の少なくとも１つの端部材は、とくに機械的な減衰効果を有していてもよい。また、プラスチックはとくに鋳造や射出成型によって簡単に成形することができる。
【００４５】
有利には、少なくとも１つの端部材、とくにプラスチック製の端部材は、フィルタベローズに接合されていてもよい。この接合は、具体的には溶接または接着結合による材質の接合によって、具体的には差し込み接続または留め金接続による嵌めこみによって、または、具体的には圧入接続やクランプ接続による圧力ばめによって、もしくはこれらの組み合わせまたはその他の方法によってなされてもよい。
【００４６】
他の有利な実施形態において、少なくとも１つのハンドグリップエレメントは、とくに少なくとも１つの端部材と一体になるように接続されていてもよい。このようにすれば、少なくとも１つのハンドグリップエレメントは、とくにプレファブリケーションによって、対応する端部材とともに容易に製造することができる。少なくとも１つのハンドグリップエレメントを有する少なくとも１つの端部材は、フィルタろ過材に容易に接続することができる。有利には、これらを１つの工程で行うことができる。
【００４７】
有利には、少なくとも１つのハンドグリップエレメントと、少なくとも１つの端部材とは、一体となるよう互いに接合されていてもよい。一体接続によって、安定性を高めることができる。こうして、少なくとも１つのハンドグリップを少なくとも１つの端部材に接合するための、追加の取付部材または追加の組み立て工程を省略することができる。
【００４８】
少なくとも１つのハンドグリップエレメントを有する少なくとも１つの端部材は、有利に、また容易に、プラスチックで製造することができ、とくに射出成型や鋳造によって製造してもよい。
【００４９】
有利には、少なくとも１つのハンドグリップエレメントは端部材、とくにエンドディスクに統合されていてもよい。このようにすれば、省スペースかつ安定した構造を得ることができる。
【００５０】
有利には、少なくとも１つのハンドグリップエレメントは、少なくとも１つの端部材の一方の側の中央に設けられていてもよい。このようにすれば、取り付けまたは取り出しの際、フィルタエレメントに機械的な力が均等に働き得る。したがって、フィルタエレメントが傾く可能性がさらに低減される。
【００５１】
他の有利な実施形態では、少なくとも１つのハンドグリップエレメントの少なくとも１つの長手方向部分は、取り付け方向に平行な少なくとも一の方向に延設されていてもよい。この取り付け方向は、フィルタエレメントがフィルタハウジング内に取り付けられ得る方向であり、具体的にはエレメント軸である。
【００５２】
少なくとも１つの長手方向部分は、選択的に設けられる横手方向部分をフィルタベローズまたは端部材と接続するための接続部分として機能してもよい。この横手方向部分は、具体的には少なくとも１つのハンドグリップエレメントのグリップ部分である。
【００５３】
これに代えて、またはこれに加えて、少なくとも１つの長手方向部分は、存在し得る任意の横手方向部材、とくに横手方向ウェブの、フィルタベローズまたは端部材に対する支持部または安定部として機能してもよい。したがって、フィルタエレメントの取り付けまたは取り出しの際、横手方向部分に働く力がフィルタベローズまたは端部材へよりよく伝達される。
【００５４】
有利には、少なくとも１つのハンドグリップエレメント、とくに少なくとも１つの長手方向部分は、フィルタベローズを超えて、流入面または流出面上で突出してもよく、とくにエレメント軸または取り付け方向もしくはその両方の方向に突出してもよい。このようにすれば、流体の流れの主方向における、流入面の上流または流出面の下流で、少なくとも１つのハンドグリップエレメントを簡単につかむことができる。
【００５５】
有利には、少なくとも１つのハンドグリップエレメントは、取り付け方向から見て、端部材がその幅に渡って設けられた領域内に位置していてもよい。このようにすれば、少なくとも１つのハンドグリップエレメントは、フィルタエレメントの横手方向の広がりに悪影響を及ぼさない。このようにすれば、フィルタエレメントの取り付けスペースの横方向の大きさを抑制することができる。
【００５６】
有利には、少なくとも１つの長手方向部分は、対応するハンドグリップエレメントの穴または指通し穴を少なくとも部分的に画定する。
【００５７】
他の有利な実施形態では、２つのハンドグリップエレメントのうち、少なくとも１つのハンドグリップエレメントの少なくとも１つの横手方向部分は、フィルタハウジング内にフィルタエレメントが取り付けられ得る取り付け方向、とくにエレメント軸に対して横方向の、とくに半径方向の、少なくとも１つの方向成分の方向に延設されてもよい。
【００５８】
少なくとも１つの横手方向部分には、取り付け方向に沿う、または逆らう力が、容易にかつ均等に働き得る。少なくとも１つの横手方向部分は、グリップ部またはグリップウェブとして機能してもよい。
【００５９】
有利には、少なくとも１つの横手方向部材は、少なくとも１つの方向成分を有して、フィルタベローズから離れるように延設される。
【００６０】
有利には、少なくとも１つのハンドグリップエレメントは、ウェブ、ジャーナル、またはリブを有していてもよい。ウェブ、ジャーナル、またはリブは容易に実施することができる。このようなハンドグリップエレメントは容易につかむことができる。
【００６１】
有利には、少なくとも１つのハンドグリップエレメントは、フィルタベローズと逆側を向くように、少なくとも１つの端部材の外側に設けられていてもよい。有利には、少なくとも１つのハンドグリップエレメントは、流入面または流出面において、フィルタベローズを超えて突出しない。このようにすれば、流れの主方向、エレメント軸の方向、または取り付け方向、もしくはその組み合わせにおけるフィルタエレメントの広がりを抑制することができる。
【００６２】
あるいは、ハンドグリップエレメントのうち、少なくとも１つのハンドグリップエレメントは、保持ハンドルとして構成されてもよい。ハンドルのグリップ部は、取り付け方向またはエレメント軸方向もしくはその両方に対して横方向に延設されていてもよい。グリップ部は、少なくとも１つの横方向接続部分によって、フィルタベローズまたは選択的に少なくとも１つの端部材に接続されていてもよい。グリップ部と横方向接続部分とは、穴または指通し穴を実現していてもよく、とくにそれらを画定していてもよい。
【００６３】
他の有利な実施形態では、ハンドグリップエレメントのうち、少なくとも１つのハンドグリップエレメントは、流入面または流出面もしくはその両方に対して横方向の位置においてフィルタエレメントに取り付けられていてもよい。このようにすれば、少なくとも１つのハンドグリップエレメントが流入面または流出面もしくはその両方を覆うことを抑制することができる。また、これによって、フィルタエレメントを流れる流れへの干渉を抑制することができる。
【００６４】
他の有利な実施形態では、フィルタエレメントは、フィルタベローズから取り付け方向に対して横方向に、具体的には半径方向に離れて突出する少なくとも１つの保持構造を選択的に備えるとともに、直接的または間接的にフィルタベローズに接続され、フィルタベローズの周に少なくとも部分的に沿うように流入面と流出面との間に延設されるフィルタエレメント保持具を備えていてもよい。フィルタエレメント保持具によって、フィルタエレメントを、フィルタハウジングの対応する相手方保持具に容易に固定することができる。このようにすれば、フィルタエレメントを容易にフィルタハウジング内に位置決めすることができる。フィルタエレメント保持具は少なくとも部分的に周に沿って延設され、取り付け方向に対して半径方向に突出する保持構造を有しているため、取り付け方向またはエレメント軸方向もしくはその両方に対して、フィルタハウジング内における軸方向の位置決め及び保持が可能となっている。
【００６５】
有利には、フィルタエレメント保持具は少なくとも１つの端部材に接続されていてもよい。これによって、フィルタハウジングからフィルタベローズ、フィルタベローズからフィルタハウジングへの力の伝達が向上する。
【００６６】
他の有利な実施形態では、少なくとも１つのハンドグリップエレメントは、フィルタハウジング内にフィルタエレメントを取り付ける取り付け方向から見たとき、少なくとも１つの保持構造と同一高さを有していてもよい。本発明における「同一高さを有する」とは、取り付け方向において、ハンドグリップエレメントが突出する部分が、少なくとも部分的に、好ましくは完全に、保持構造の内側にあることを意味する。
【００６７】
有利には、少なくとも１つのハンドグリップエレメントは、フィルタエレメントが少なくとも１つの保持構造によって横方向に拡大するフィルタエレメントの領域、とくに取り付け方向に対して半径方向に広げられた領域に設けられていてもよい。このようにすれば、フィルタエレメントの横方向の広がりが少なくとも１つのハンドグリップエレメントによってさらに拡大されないようにすることができる。フィルタハウジングが狭い空間しか占めない場合、少なくとも１つのハンドグリップエレメントは、横方向に突出する保持構造の前方または後方において、取り付け方向に対して横方向に形成されてもよい。
【００６８】
また、本発明によれば、フィルタエレメントが、フィルタエレメントをつかむための少なくとも２つのフィルタグリップエレメントを有しているため、フィルタについても上述の目的が達せられる。
【００６９】
本発明のフィルタエレメントとともに説明した上述の効果及び特徴と、有利な実施形態とは、本発明のフィルタにも適用可能であり、またその逆も可能である。
【００７０】
本発明のさらなる利点、特徴、および細部が明らかになるよう、以下の説明では、図面を参照して、本発明の実施形態をより詳細に説明する。当業者は、図面、明細書、および特許請求の範囲に組み合わせて開示した特徴を適切に、また、個別に検討し、それらの特徴を組み合わせて、さらなる有意義な組み合わせとすることができる。図面は概略図である。
【図面の簡単な説明】
【００７１】
【図１】第１実施形態に係るエアフィルタエレメントの等角投影図であり、対向する２つの面にはエンドディスクが設けられ、それぞれに保持ハンドルが統合されている。
【図２】図１のフィルタエレメントを長手方向から見た側面図である。
【図３】図１及び２のフィルタエレメントにおける、エンドディスクのうち１つを見るための方向の横方向断面図である。
【図４】図１〜図３のフィルタエレメントの流入面について上から見た図である。
【図５】図１〜図４のフィルタエレメントのエンドディスクのうち１つの等角投影図である。
【図６】図５のエンドディスクの側面図である。
【図７】図５及び図６のエンドディスクの正面図である。
【図８】図５〜図７のエンドディスクの上面図である。
【図９】第２実施形態に係るエアフィルタエレメントの等角投影図であり、対向する２つの面にエンドディスクが設けられ、それぞれのエンドディスクに２つのリブ方式のハンドグリップエレメントが統合されている。
【図１０】図９のフィルタエレメントを長手方向から見た側面図である。
【図１１】図９及び図１０のフィルタエレメントの側面図である。
【図１２】図９〜図１０のフィルタエレメントの上面図である。
【図１３】図９〜図１２のフィルタエレメントのエンドディスクのうち１つのエンドディスクの等角投影図である。
【図１４】図１３のエンドディスクの側面図である。
【図１５】図１３及び図１４のエンドディスクの正面図である。
【図１６】図１３〜図１５のエンドディスクの上面図である。
【発明を実施するための形態】
【００７２】
図面中、同一の構成要素には同一の符号が付されている。
【００７３】
図１から図４は、第１実施形態に係る、自動車の内燃機関のエアフィルタ（不図示）のフィルタエレメント１０示す図であり、それぞれ異なる方向から見た図である。エアフィルタは、開放可能で、ハウジングポットとハウジングカバーとからなるフィルタハウジングを有する。フィルタエレメント１０は、フィルタハウジング内に設けられ、交換可能である。
【００７４】
ここに示す実施形態においては、フィルタエレメント１０をハウジングポット内に取り付ける取り付け方向１２は、エレメント軸１４と平行である。
【００７５】
フィルタエレメント１０は、取り付け口を介して、ハウジングポット内に取り付けることができる。
【００７６】
フィルタエレメント１０は、平坦なフィルタエレメントとして構成される。フィルタエレメント１０は、ジグザグのプリーツ状となるように折られたフィルタろ過材１８からなるフィルタベローズ１６を有し、該フィルタベローズの外形は略立方体形状である。フィルタろ過材１８は、紙フィルタ、不織フィルタ、または、空気をろ過することに適し、プリーツ状にすることが可能なその他のフィルタろ過材であってもよい。また、フィルタベローズ１６はプリーツ状ではないフィルタろ過材、例えばフィルタ発泡体からなるものであってもよい。フィルタろ過材１８は、複数のプリーツエッジ２０に沿ってプリーツ状に折りたたまれている。プリーツエッジ２０はお互いに平行であり、エレメント軸１４に対して垂直である。
【００７７】
図１及び図２において、上側には流入面プリーツエッジ２０が、下側には流出面プリーツエッジ２０が示されている。図４には、流入側プリーツエッジ２０のみが示されている。プリーツ状のフィルタろ過材１８のプリーツ高さ２２はエレメント軸１４に対して平行に延びている。プリーツエッジ２０と垂直の、フィルタベローズ１６の幅は、プリーツエッジ２０と同じ方向のフィルタベローズ１６の長さよりも小さい。フィルタベローズ１６の、エレメント軸に対する軸方向高さは、その最大の高さが、フィルタベローズ１６の幅よりもわずかに大きい。フィルタベローズ１６の長さは、その最大高さよりも大きい。したがって、プリーツは深いといえる。
【００７８】
複数のプリーツのプリーツ高さ２２は、隣のプリーツとの間で、プリーツエッジ２０と垂直な方向であって、エレメント軸１８に垂直な方向に変化する。フィルタベローズ１６の中心におけるプリーツのプリーツ高さ２２は、フィルタベローズ１６の長手方向側面２４における外側のプリーツのプリーツ高さ２２よりも小さい。図１の下側に示すように、フィルタベローズ１６の長手方向から見たとき、複数の流出側プリーツエッジ２０を通して形成される曲線の形状は、放物線とほぼ一致する。
【００７９】
フィルタベローズ１６のエンドエッジ側面２６には、フィルタろ過材１８のエンドエッジがその幅に渡って設けられているが、図中では見えないようになっている。エンドエッジ側面２６は、エレメント軸を挟んで半径方向に対向する２つの面に位置している。エンドエッジ側面２６は互いに平行であり、エレメント軸１４と上流側プリーツエッジ２０がその幅に渡って設けられた流入面に対して垂直である。エンドエッジ側面２６は、長手方向側面２４と接続されて、ともにフィルタベローズ１６を取り巻く周方向側面を形成する。
【００８０】
図１〜図４の上側に示す流入面２８は、フィルタエレメント１０が取り付けられているときに、ハウジングカバーに対向する面に位置している。
【００８１】
図１〜図４の下側に示す流出面３０は、ハウジングポットのポット底に対向する面に位置し、下流側プリーツエッジ２０がその幅に渡って設けられている。
【００８２】
エンドディスク３２は、フィルタベローズ１６のエンドエッジ側面２６において、フィルタろ過材１８のエンドエッジに密に接続されている。図５〜図８には、例えば、エンドディスク３２を異なる方向から見た図が示されている。エンドディスク３２はそれぞれプラスチック製である。エンドディスク３２はその外側がほぼ長方形である。エンドディスク３２の下流側の辺であって、流出面２８に面する辺は、流出面２８に沿って、ほぼ放物線状となっている。
【００８３】
流入側の辺の付近において、エンドディスク３２はそれぞれフィルタエレメント保持具３４を有している。フィルタエレメント保持具３４は、一体として設けられるはみ出し部３６を有している。はみ出し部３６はエレメント軸１４に対して周方向に延設される。はみ出し部３６は、プリーツエッジ２０の方向から見たとき、フィルタベローズ１６から外側に突出するとともに、エンドディスク３２の流入側の辺と略平行になっている。
【００８４】
長手方向側面２４に面する、はみ出し部３６の両端の領域において、はみ出し部３６はそれぞれ、フィルタベローズ１６から見たとき外側へ突出する保持構造３８を有している。それぞれのはみ出し部３６は、取り付け方向１２に沿って見たとき、ほぼ中央に、シール４２のための保持ウェブ４０を有している。保持ウェブ４０は、はみ出し部３６の長さ全体に渡って延設されている。
【００８５】
シール４２は、フィルタベローズ１６とエンドディスク３２を囲んでおり、エレメント軸１４に対して周方向に閉となっている。流入面２８から見たとき、シールは流入側プリーツエッジ２０よりもわずかに後方に位置している。
【００８６】
フィルタエレメント保持具３４によって、フィルタエレメント１０を、フィルタハウジング内に取り付け方向１２及びエレメント軸１４の軸方向に維持することができる。したがって、フィルタハウジングは、フィルタエレメント保持具３４に対応する維持面を有している。
【００８７】
また、それぞれのエンドディスク３２には、フィルタベローズ１６の反対側を向く外側の面に、補強リブ４４がリブ模様をなすように設けられている。
【００８８】
保持ハンドル４６は流入面２８に面するエンドディスク３２の流入側の対応する辺に一体となって取り付けられている。保持ハンドル４６は、フィルタベローズ１６の幅に対してほぼ中央に位置している。２つの保持ハンドル４６は、フィルタエレメント１０の、エレメント軸１４を挟んで半径方向に対向する２つの面に設けられている。
【００８９】
保持ハンドル４６は、それぞれ、対応するエンドディスク３２の平面に延設される。保持ハンドル４６は、それぞれ流入面２８の側に位置している。このようにすれば、保持ハンドル４６が流入面２８を覆うことがない。保持ハンドル４６は、流入面２８上においてフィルタベローズ１６を超えて突出している。
【００９０】
保持ハンドル４６の横方向接続部４８は、エレメント軸１４すなわち取り付け方向１２にほぼ平行の一方向成分とともに延設される。中央グリップ部５０は、エレメント軸１４を横切るように、すなわち取り付け方向１２とプリーツエッジ２０とを横切るように延設される。この中央グリップ部５０は、２つの接続部４８を接続する。
【００９１】
横方向接続部４８と、グリップ部５０と、グリップ部５０の反対側でエンドディスク３２の流入側の対応する辺とが、対応する保持ハンドル４６の指通し穴５２を画定する。
【００９２】
フィルタエレメント１０を、対向する２つの面のそれぞれにおいて、片手もしくは対応する道具でつかむことができ、例えば、２つの保持ハンドル４６によってつかむことができる。よって、保持ハンドル４６を用いて、フィルタエレメント１０を、取り付け方向１２に沿ってフィルタハウジング内に挿入して取り付けることができるとともに、同様に反対方向に取り外して取り出すことができる。
【００９３】
図９〜図１２は、フィルタエレメント１０の第２実施形態を示す図である。フィルタエレメント１０のエンドディスク３２のうち１つが、例えば、図１３〜図１６に詳細に示されている。第１実施形態に対して、第２実施形態では、保持ハンドル４６に代えて、リブ型ハンドグリップエレメント１４６が各エンドディスク３２に２つずつ設けられている。この点を除き、図９から図１６に示す第２実施形態に係るフィルタエレメント１０の構成は、図１から図８に示した第１実施形態に係るフィルタエレメント１０の構成と同じである。
【００９４】
ハンドグリップエレメント１４６は、エレメント軸１４の方向に見たとき、保持構造３８とエンドディスク３２の流入側の辺との間に設けられている。各ハンドグリップエレメント１４６は、エレメント軸１４の方向において、すなわち取り付け方向１２において、保持構造３８と同一高さを有している。
【００９５】
各ハンドグリップエレメント１４６は、流入面２８に略平行かつエンドディスク３２の外側に略垂直に外向きに延びるウェブグリップ１４８を有している。ウェブグリップ１４８はわずかに曲がっており、対応する保持構造３８に面するその下部において、わずかにくぼんだグリップを形成するようになっている。このくぼんだグリップは、指または道具を用いて容易につかむことができる。
【００９６】
ハンドグリップエレメント１４６は、それぞれ、エンドディスク３２の流入側の辺に面する側に、支持ウェブ１５０を有している。支持ウェブ１５０は、ウェブグリップ１４８の流入側の面の略中央に位置し、エレメント軸に対して略平行に延設される。支持ウェブ１５０は、ウェブグリップ１４８を支持するように機能する。ハンドグリップエレメント１４６は、それぞれ流入面２８の横方向に位置している。
【００９７】
したがって、全体では合わせて４つのハンドグリップエレメント１４６が、フィルタエレメント１０の対向する２つの面に、周方向に設けられている。
【符号の説明】
【００９８】
１０  フィルタエレメント
１２  取り付け方向
１４  エレメント軸
１６  フィルタベローズ
１８  フィルタろ過材
２０  プリーツエッジ
２２  プリーツ高さ
２４  長手方向側面
２６  エンドエッジ側面
２８  流入面
３０  流出面
３２  エンドディスク
３４  フィルタエレメント保持具
３６  はみ出し部
３８  保持構造
４０  保持ウェブ
４２  シール
４４  補強リブ
４６  保持ハンドル
４８  接続部
５０  グリップ部
５２  指通し穴
１４６  ハンドグリップエレメント
１４８  ウェブグリップ
１５０  支持ウェブ
【図１】
0006352076.tif 000002
【図２】
0006352076.tif 000003
【図３】
0006352076.tif 000004
【図４】
0006352076.tif 000005
【図５】
0006352076.tif 000006
【図６】
0006352076.tif 000007
【図７】
0006352076.tif 000008
【図８】
0006352076.tif 000009
【図９】
0006352076.tif 000010
【図１０】
0006352076.tif 000011
【図１１】
0006352076.tif 000012
【図１２】
0006352076.tif 000013
【図１３】
0006352076.tif 000014
【図１４】
0006352076.tif 000015
【図１５】
0006352076.tif 000016
【図１６】
0006352076.tif 000017